(57)【要約】      （修正有）【課題】従来の蛍光管を簡便な作業で容易に交換することができ、かつ感電の危険を有効に回避し得るＬＥＤ灯管のソケットを提供する。【解決手段】両側給電型ＬＥＤ灯管のソケットは、カバー体と、リセットスイッチ１１と、ねじり弾性部材１２と、筐体とを備える。カバー体には、銅ピン１４がそれぞれ貫設される２つの第１貫設孔と、押圧ユニットが貫設される第２貫設孔と、回転接続部が形成される。リセットスイッチには、回転接続部に回転するよう設けられる回転接続部材１１０と、導電片１６がそれぞれ取り付けられる複数の固定部と、押圧ユニットに対し係脱可能な係合部材１１４とが設けられる。ねじり弾性部材は、リセットスイッチが自動的にリセット可能となるよう回転接続部と回転接続部材の間に装着される。筐体は、カバー体と係合する。【選択図】図６
0003216053.tif 000002
【実用新案登録請求の範囲】
【請求項１】
銅ピンがそれぞれ貫設される２つの第１貫設孔と、押圧ユニットが貫設される第２貫設孔と、回転接続部と形成されるカバー体と、
前記回転接続部に回転するよう設けられる回転接続部材と、導電片がそれぞれ取り付けられる複数の固定部と、前記押圧ユニットに対し係脱可能な係合部材と設けられるリセットスイッチと、
前記リセットスイッチが自動的にリセット可能となるよう、前記回転接続部と前記回転接続部材の間に装着されるねじり弾性部材と、
前記カバー体と係合して、前記リセットスイッチ、前記ねじり弾性部材及び前記導電片を収納する収納空間を形成する筐体と、を備えることを特徴とする両側給電型ＬＥＤ灯管のソケット。
【請求項２】
前記押圧ユニットは、オンオフ押圧部材、第１弾性部材、第１先端ピン、第２先端ピン及び第２弾性部材を含み、
前記オンオフ押圧部材は、前記第２貫設孔に突設されるとともに前記第１先端ピンに接続固定され、
前記第１弾性部材は、前記第１先端ピンに覆設され、
前記第２先端ピンは、前記第１先端ピン及び前記第１弾性部材を当接させる接触面を規定するとともに前記筐体に取り付けられ、
前記第２弾性部材は、前記第２先端ピンに覆設されることを特徴とする請求項１記載の両側給電型ＬＥＤ灯管のソケット。
【請求項３】
前記筐体は、前記第２先端ピンが取り付けられる装着部を形成することを特徴とする請求項２記載の両側給電型ＬＥＤ灯管のソケット。
【請求項４】
前記第２先端ピンには、位置規制当止部が延伸していることを特徴とする請求項２記載の両側給電型ＬＥＤ灯管のソケット。
【請求項５】
前記回転接続部材には、前記係合部材に近接する位置規制部が延伸しており、
前記位置規制部は、前記リセットスイッチの回動を規制するよう前記位置規制当止部に当接可能であることを特徴とする請求項４記載の両側給電型ＬＥＤ灯管のソケット。
【請求項６】
前記係合部材及び前記位置規制部は、同一平面に位置することを特徴とする請求項５記載の両側給電型ＬＥＤ灯管のソケット。
【請求項７】
各前記導電片は、前記銅ピンと接触する当接面を規定することを特徴とする請求項１記載の両側給電型ＬＥＤ灯管のソケット。
【請求項８】
前記カバー体には、前記筐体と係合可能な複数のほぞが延伸していることを特徴とする請求項５記載の両側給電型ＬＥＤ灯管のソケット。
【考案の詳細な説明】
【技術分野】
【０００１】
本考案は、ＬＥＤ灯管に関し、より詳細には、両側給電型ＬＥＤ灯管のソケットに関する。
【背景技術】
【０００２】
現代の人々は、社会が進歩するにつれて、環境を保護する意識と省エネの意識に注目がいくようになっている。従来の蛍光灯灯管は、徐々に室内照明用のＬＥＤ灯管に取り替えられている。従来の蛍光灯ランプを取り外した後に、新しいＬＥＤ灯管を直接取り付けることもできるが、ＬＥＤ灯管に取り換える際に、ＬＥＤ灯管自身に自動電断するための応用設計がないので、ＬＥＤを取り付けた後にＬＥＤ灯管に直ちに導通し、感電が発生する危険がある。
【０００３】
従来のＬＥＤ灯管用のソケットを開示する文献として下記の特許文献１がある。特許文献１に開示のＬＥＤソケットは、コンパクト型ＬＥＤランプの口金部より突設された給電端子を挿通させる挿通孔を底面に形成し、該口金部を包み込む口金収容凹部を有した受金ガイド部と、この受金ガイド部を傾動可能に取付け、前記挿通孔より突出させた前記ＬＥＤランプの前記給電端子を挿着させる電極穴が対応して形成された本体部とで構成されている。前記本体部には、前記電極穴に対応して、給電線を接続して電源を供給するための電源接続部と、前記電源接続部から隣接するソケットに給電するための渡り配線用電源接続部とを設けている。
【０００４】
特許文献１に開示のＬＥＤソケットを複数備えたシステムでは、それらのソケットに配線によって渡り給電できるので、それぞれのソケットを配線によって個別に給電する構成に比べて、接続線が短くて済み、配線作業も簡単である。これは複数のＬＥＤランプを用いる照明器具等では非常に有利であり、製品を低コストで提供できるようになる。
【先行技術文献】
【特許文献】
【０００５】
【特許文献１】特開２０１３−２５１２４５号公報
【考案の概要】
【考案が解決しようとする課題】
【０００６】
しかしながら、従来のソケットに装着されたＬＥＤ灯管を交換する際には、まずソケットへの通電を止めた後にＬＥＤ灯管を取り外す必要があった。このため、取り外し時にＬＥＤ灯管の周囲が暗くなるのでＬＥＤ灯管を取り外しにくかった。かといって、ＬＥＤ灯管を点灯させたままＬＥＤ灯管を取り外そうとすると、ＬＥＤ灯管に電流が流れたままになるので作業者が感電するリスクがあった。
【課題を解決するための手段】
【０００７】
本考案は、上述の問題を鑑みてなされた両側給電型ＬＥＤ灯管のソケットを提供するものであり、このソケットは、銅ピンがそれぞれ貫設される２つの第１貫設孔と、押圧ユニットが貫設される第２貫設孔と、回転接続部と形成されるカバー体；前記回転接続部に回転するよう設けられる回転接続部材と、導電片がそれぞれ取り付けられる複数の固定部と、前記押圧ユニットに対し係脱可能な係合部材と設けられるリセットスイッチ；前記リセットスイッチが自動的にリセット可能となるよう、前記回転接続部と前記回転接続部材の間に装着されるねじり弾性部材；及び、前記カバー体と係合して、前記リセットスイッチ、前記ねじり弾性部材及び前記導電片を収納する収納空間を形成する筐体を備えることを特徴とする。
【０００８】
いずれかの実施形態においては、前記押圧ユニットは、オンオフ押圧部材、第１弾性部材、第１先端ピン、第２先端ピン及び第２弾性部材を含み、前記オンオフ押圧部材は、前記第２貫設孔に突設されるとともに前記第１先端ピンに接続固定され、前記第１弾性部材は、前記第１先端ピンに覆設され、前記第２先端ピンは、前記第１先端ピン及び前記第１弾性部材を当接させる接触面を規定するとともに前記筐体に取り付けられ、前記第２弾性部材は、前記第２先端ピンに覆設される。
【０００９】
いずれかの実施形態においては、前記筐体は、前記第２先端ピンが取り付けられる装着部を形成している。
【００１０】
いずれかの実施形態においては、前記第２先端ピンには、位置規制当止部が延伸している。
【００１１】
いずれかの実施形態においては、前記回転接続部材には、前記係合部材に近接する位置規制部が延伸しており、前記位置規制部は、前記リセットスイッチの回動を規制するよう前記位置規制当止部に当接可能である。
【００１２】
いずれかの実施形態においては、前記係合部材及び前記位置規制部は、同一平面に位置している。
【００１３】
いずれかの実施形態においては、各前記導電片は、前記銅ピンと接触する当接面を規定している。
【００１４】
いずれかの実施形態においては、前記カバー体には、前記筐体と係合可能な複数のほぞが延伸している。
【考案の効果】
【００１５】
本考案のＬＥＤ灯管のソケットによれば、ＬＥＤ灯管を取り外す際にＬＥＤランプに取り付けられたソケットが自動電断されるとともに、ＬＥＤ灯管を取り付ける際にリセットスイッチを回動させることで灯管の両端に導通する。このため、従来の蛍光灯からＬＥＤ灯管に交換する作業量が減少するほか、感電のリスクを効果的に回避することができる。
【図面の簡単な説明】
【００１６】
【図１】本考案の灯管の立体斜視図である。
【図２】本考案の灯管の分解斜視図である。
【図３】押圧されていない状態のオンオフ押圧部材の内部構造の概略図である。
【図４】押圧した状態のオンオフ押圧部材の内部構造の概略図である。
【図５】リセットスイッチを回転させてＬＥＤ灯管を点灯させる状態を示す概略図である。
【図６】ＬＥＤ灯管のリセットスイッチをリセットするための平面位置の概略図である。
【考案を実施するための形態】
【００１７】
以下において、本考案の詳細及び利点を詳述する実施形態を説明する。本実施形態における開示、請求の範囲及び図面によれば、当業者が本考案の技術的な内容を容易に理解し、過不足なく十分に実施することができる。本技術分野における常識を有する者であれば、本考案に関連する目的及び利益を容易に理解することができる。
【００１８】
本考案の利点及び特徴並びにそれらを達成する方法は、例示的な実施形態及び図面を参照して熟読することによって容易に理解することができる。 しかしながら、本考案は、本明細書に記載の実施形態に限定されるものと解釈されるべきではなく、様々な形態で具体化することができる。 逆に、当業者であれば、これらの実施形態は、完全に完結しており、本考案の範囲を完全に伝達するように提供されており、本考案は、添付の実用新案登録請求の範囲によってのみ限定されると理解される。
【００１９】
図面における構成要素または構成要素の寸法および相対的大きさは、明瞭に理解できるように概略的に記載されている。 本明細書における同一の構成要素の記号は同じ構成要素を示すものである。 以下で使用される「及び／又は」の用語は、１または複数の関連して列挙される選択肢のいずれか及び全ての組合せを含む。
【００２０】
特段に定義する場合を除いて、後述するあらゆる用語（技術用語及び科学用語を含む）は、当業者が一般的に理解する意味と同義で用いる。さらに、例えば一般的に使用される辞典で定義される用語は、関係する技術分野の内容と一致する意味を有すると理解され、後の明細書において明示的に定義されない限り、過度に抽象化又は限定化した意味で解釈されるべきではないと理解すべきである。
【００２１】
以下においては、添付の図面を参照して例示的な実施形態を詳述するが、これらの実施形態は、異なる形態で具体化することも可能であるため、本考案の範囲を限定するものとして解釈されるべきではない。これらの実施形態は、本考案の開示を完全かつ明確にするために提供され、当業者は、これらの実施形態を通じて本考案の範囲を理解することができる。
【００２２】
図１及び図２は、本考案のソケットの立体斜視図及び分解斜視図である。本考案は両側給電型ＬＥＤランプのソケットであり、ソケット１は、カバー体１０と、リセットスイッチ１１と、ねじり弾性部材１２と、筐体１３とを備え、カバー体１０には、銅ピン１４がそれぞれ貫設される２つの第１貫設孔１００と、押圧ユニット１５が貫設される第２貫設孔１０２と、回転接続部１０４とが形成されている。
【００２３】
リセットスイッチ１１には、回転接続部１０４に回転可能に設けられる回転接続部材１１０と、導電片１６がそれぞれ取り付けられる複数の固定部１１２と、押圧ユニット１５に対し係脱可能な係合部材１１４とが設けられる。ねじり弾性部材１２には、リセットスイッチ１１が自動的にリセット可能となるよう、回転接続部１０４と回転接続部材１１０との間に装着される。筐体１３は、カバー体１０と係合してリセットスイッチ１１、ねじり弾性部材１２及び導電片１６を収納する収納空間１３０を形成する。
【００２４】
押圧ユニット１５は、オンオフ押圧部材１５０と、第１弾性部材１５１と、第１先端ピン１５２と、第２先端ピン１５３と、第２弾性部材１５4とを含み、オンオフ押圧部材１５０は、第２貫設孔１０２に突設されるとともに前記第１先端ピン１５２に接続固定される。
【００２５】
第１弾性部材１５１は、第１先端ピン１５２に覆設され、第２先端ピン１５３は、第１先端ピン１５２及び第１弾性部材１５１を当接させる接触面１５３０を規定するとともに筐体１３に取り付けられる。第２弾性部材１５４は、第２先端ピン１５３に覆設される。第２先端ピン１５３は、筐体１３に形成される装着部１３２が取り付けられ、第２先端ピン１５３には、また位置規制当止部１５３２が延伸しており、回転接続部材１１０に延伸している位置規制部１１００は、リセットスイッチ１１の回動を規制するよう位置規制当止部１５３２に当接される。
【００２６】
回転接続部材１１０の位置規制部１１００が係合部材１１４に近接して同一平面に位置することに留意すべきである。また、各前記導電片１６は、銅ピン１４と接触する当接面１６０を規定し、カバー体１０には、筐体１３と係合可能な複数のほぞ１０６が延伸している。
【００２７】
図３、図４及び図５は、押圧されていない状態のオンオフ押圧部材の内部構造の概略図、押圧した状態のオンオフ押圧部材の内部構造の概略図及びリセットスイッチを回動させてＬＥＤランプを点灯させる状態を示す概略図である。ＬＥＤランプを取り付ける際、オンオフ押圧部材１５０が内側に押圧されると同時に、オンオフ押圧部材１５０と第１弾性部材１５１は接触面１５３０に当接して第２先端ピン１５３及び第２弾性部材１５４を筐体１３の方（矢印方向）へ移動させる。押圧ユニット１５全体が移動すると同時に、最初は第２先端ピン１５３の位置規制当止部１５３２が回転接続部材１１０の位置規制部１１００に当接されており、第２先端ピン１５３が移動することによって位置規制当止部１５３２は位置規制部１１００とずれて当接しなくなる。これによりリセットスイッチ１１が回動可能な状態になる。
【００２８】
リセットスイッチ１１を回動させる際、第１先端ピン１５２が進入することによって係合部材１１４は第１先端ピン１５２に係合して第２弾性部材１５４の跳ね返りを受けて接触面１５３０は係合部材１１４に当接され、係合部材１１４が第１先端ピン１５２に係合すると同時に、各導電片１６の当接面１６０はオン状態になるよう銅ピン１４と接触し、この時、第１弾性部材１５１、第２弾性部材１５４及びねじり弾性部材１２の圧縮状態が解除される。
【００２９】
図６は、ＬＥＤランプのリセットスイッチをリセットするための平面位置の概略図である。ＬＥＤランプを取り外す際、ソケット１のオンオフ押圧部材１５０は第１弾性部材１５１及び第２弾性部材１５４の圧力開放を受けてオンオフ押圧部材１５０を元の位置に戻させ、また第１先端ピン１５２及び第２先端ピン１５３も元の位置に戻り、更にねじり弾性部材１２も圧力を開放してリセットスイッチ１１を自動で元の位置に戻させる。
【００３０】
オンオフ押圧部材１５０が移動すると同時に、係合部材１１４は第１先端ピン１５２に対し係脱し、また導電片１６の当接面１６０はオフ状態になるよう銅ピン１４に対し係脱し、更に、回転接続部材１１０の位置規制部１１００はリセットスイッチ１１の回動を規制するよう位置規制当止部１５３２に再度当接される。これにより従来の蛍光管を簡便な作業で容易にＬＥＤ灯管に交換することができ、かつ感電の危険を有効に回避することができる。
【００３１】
以上で説明した実施形態は、本考案の技術的思想及び特徴を説明するためのものであって、本考案の技術的範囲を逸脱するものではない。本考案の範囲は、本明細書に開示された技術的思想に基づいてなされたあらゆる均等な変更又は修正をも含む。
【００３２】
以上述べたように、本考案は従来技術を超越することで所望の更なる効果を実現している。本考案は当業者によって容易に想起し得ず、進歩性及び実用性を有する。
【符号の説明】
【００３３】
１  ソケット
１０  カバー体
１００  第１貫設孔
１０２  第２貫設孔
１０４  回転接続部
１０６  ほぞ
１１  リセットスイッチ
１１０  回転接続部材
１１００  位置規制部
１１２  固定部
１１４  係合部材
１２  ねじり弾性部材
１３  筐体
１３２  装着部
１３０  収容空間
１４  銅ピン
１５  押圧ユニット
１５０  オンオフ押圧部材
１５１  第１弾性部材
１５２  第１先端ピン
１５３  第２先端ピン
１５３０  接触面
１５３２  位置規制当止部
１５４  第２弾性部材
１６  導電片
１６０  当接面
【図１】
0003216053.tif 000003
【図２】
0003216053.tif 000004
【図３】
0003216053.tif 000005
【図４】
0003216053.tif 000006
【図５】
0003216053.tif 000007
【図６】
0003216053.tif 000008